(57)【要約】【課題】  表示部の変形を防止すると共に薄型化を実現することができる表示装置および携帯電話機を提供する。【解決手段】  携帯電話機は、表示部１７を有する表示ユニットと、操作部を有する操作ユニットと、これら表示ユニットおよび操作ユニットを相互にスライドさせて開閉するスライドユニットとを備え、電話機能を有している。表示部１７は、表示ユニットおよび操作ユニットが開状態においても閉状態においても、外部に露出する位置に設けられる。スライドユニットは、表示部１７の変形を防止するためにこの表示部１７を支持する支持部１９を有する。【選択図】  図３
2010124013.tif 000002
【特許請求の範囲】
【請求項１】
表示部を有する表示ユニットと、操作部を有する操作ユニットと、これら表示ユニットおよび操作ユニットを相互にスライドさせて開閉するスライドユニットとを備えた表示装置であって、
前記表示部は、前記表示ユニットおよび操作ユニットが開状態においても閉状態においても、外部に露出する位置に設けられ、
前記スライドユニットは、前記表示部の変形を防止するためにこの表示部を支持する支持部を有することを特徴とする表示装置。
【請求項２】
前記支持部は、前記表示部において比較的強度の低い部位を支持することを特徴とする請求項１記載の表示装置。
【請求項３】
前記支持部は、粘着テープによって前記表示ユニットに接着固定されていることを特徴とする請求項１記載の表示装置。
【請求項４】
前記支持部は、前記表示ユニットに設けられ複数の爪状突起を有する部位に嵌合固定されていることを特徴とする請求項１記載の表示装置。
【請求項５】
前記支持部は、前記表示ユニットに設けられたピン状の部位に溶着固定されていることを特徴とする請求項１記載の表示装置。
【請求項６】
表示部を有する表示ユニットと、操作部を有する操作ユニットと、これら表示ユニットおよび操作ユニットを相互にスライドさせて開閉するスライドユニットとを備え、電話機能を有する携帯電話機であって、
前記表示部は、前記表示ユニットおよび操作ユニットが開状態においても閉状態においても、外部に露出する位置に設けられ、
前記スライドユニットは、前記表示部の変形を防止するためにこの表示部を支持する支持部を有することを特徴とする携帯電話機。
【発明の詳細な説明】
【技術分野】
【０００１】
この発明は、表示部を有する表示ユニットと、操作部を有する操作ユニットと、これら表示ユニットおよび操作ユニットを相互にスライドさせて開閉するスライドユニットとを備えた表示装置および携帯電話機に関するものであり、特に、表示部の変形を防止する構造に関するものである。
【背景技術】
【０００２】
従来のスライド型携帯電話機は、大まかに、表示部を有する表示ユニットと、操作部を有する操作ユニットと、それらを結合接続するスライドユニットとで構成されている。スライドユニットは、さらに、表示ユニットに固定される第１スライド部品と、操作ユニットに固定される第２スライド部品とで構成されている。スライドユニットにおける第１スライド部品と第２スライド部品とが相互にスライドする構造であるため、全体として、表示ユニットと操作ユニットとが相互にスライドして開閉する構造となっている。操作部は、表示ユニットと操作ユニットとが重ね合わされた閉状態では表示ユニットに隠れ、表示ユニットと操作ユニットとをスライドさせた開状態において現れるような位置に配置されている。（例えば、特許文献１参照）
【特許文献１】特開２００６−１２１２２１号公報（図１）
【発明の開示】
【発明が解決しようとする課題】
【０００３】
従来のスライド型携帯電話機では、表示部は、操作部と異なり、表示ユニットおよび操作ユニットが開状態においても閉状態においても外部に露出する位置に設けられている。このように、表示部が常に露出しているため、表示部に外力が加わった場合に表示部が変形し破損するおそれがある。
【０００４】
この問題を回避するため、表示部を裏面から支持するフレームを追加し、表示部の変形を防止することが考えられる。しかしながら、このフレームは剛性を確保するために充分な厚みを必要とすることから、携帯電話機の薄型化を阻害する原因になってしまうという課題があった。
【０００５】
この発明は、上記のような課題を解消するためになされたものであって、表示部の変形を防止すると共に薄型化を実現することができる表示装置および携帯電話機を提供することを目的とする。
【課題を解決するための手段】
【０００６】
この発明は、表示部を有する表示ユニットと、操作部を有する操作ユニットと、これら表示ユニットおよび操作ユニットを相互にスライドさせて開閉するスライドユニットとを備えた表示装置であって、
前記表示部は、前記表示ユニットおよび操作ユニットが開状態においても閉状態においても、外部に露出する位置に設けられ、
前記スライドユニットは、前記表示部の変形を防止するためにこの表示部を支持する支持部を有することを特徴とする表示装置である。
【０００７】
また、この発明は、表示部を有する表示ユニットと、操作部を有する操作ユニットと、これら表示ユニットおよび操作ユニットを相互にスライドさせて開閉するスライドユニットとを備え、電話機能を有する携帯電話機であって、
前記表示部は、前記表示ユニットおよび操作ユニットが開状態においても閉状態においても、外部に露出する位置に設けられ、
前記スライドユニットは、前記表示部の変形を防止するためにこの表示部を支持する支持部を有することを特徴とする携帯電話機である。
【発明の効果】
【０００８】
この発明によれば、表示部の変形を防止することができると共に、表示装置および携帯電話機を薄型化することができる。
【発明を実施するための最良の形態】
【０００９】
実施の形態１．
図１は、本発明の実施の形態１に係る携帯電話機の構造を示す横断面図である。携帯電話機は、大まかに、表示部１７を有する表示ユニット１１と、操作部１６を有する操作ユニット１２と、それらを結合接続するスライドユニット１３とで構成されている。スライドユニット１３は、さらに、表示ユニット１１に固定される第１スライド部品１４と、操作ユニット１２に固定される第２スライド部品１５とで構成されている。第１スライド部品１４は、表示ユニット１１を構成する表示背面筐体２２にネジ固定されている。第２スライド部品１５は、操作ユニット１２を構成する操作前面筐体３１にネジ固定されている。
【００１０】
スライドユニット１３における第１スライド部品１４と第２スライド部品１５とが相互にスライドつまり摺動する構造であるため、全体として、表示ユニット１１と操作ユニット１２とが相互にスライドして開閉する構造となっている。操作部１６は、表示ユニット１１と操作ユニット１２とが重ね合わされた閉状態では表示ユニット１１に隠れ、表示ユニット１１と操作ユニット１２とをスライドさせた開状態において現れるような位置に配置されている。
【００１１】
次に、表示部１７の保持構造について説明する。
【００１２】
図２は、本発明の実施の形態１に係る携帯電話機の構造を示す縦断面図である。図３は、本発明の実施の形態１に係る携帯電話機の構造を示す分解斜視図である。表示部１７は、具体的にはＬＣＤ（Liquid Crystal Display）等であり、表示ユニット１１を構成する表示前面筐体２１の四隅に形成されたリブ２３に位置決め固定されている。さらに、表示背面筐体２２が表示前面筐体２１にツメ嵌合されることで、表示部１７が固定される。表示部１７は、表示ユニット１１および操作ユニット１２が開状態においても閉状態においても、外部に露出する位置に設けられている。
【００１３】
次に、図２を参照して表示部１７に外力が加わった場合の変形について説明する。
【００１４】
表示部１７の前面にあるウインドウ２４に外力Ｐが作用したわみ等の変位を引き起こす。ウインドウ２４は、表示前面筐体２１に貼り付け固定されている。ウインドウ２４の変形が増加すると、変形したウインドウ２４が表示部１７に接触し、続いて、表示部１７が変形する。この表示部１７の変形量が限界を超えると、表示部１７が破損してしまうところ、次に説明する構造によってこれを防止している。
【００１５】
次に、図３を参照して、表示部１７の変形を防止する構造を説明する。
【００１６】
表示部１７の変形を抑えるために、スライドユニット１３を構成する第１スライド部品１４が表示背面筐体２２に固定されている。第１スライド部品１４は、表示背面筐体２２の形状に合わせて曲げ加工して形成された支持部１９を備えている。第１スライド部品１４の支持部１９は、これと同じく表示背面筐体２２を曲げ加工して形成された部位と一体となっている。支持部１９は、表示背面筐体２２の対応部位と共に表示部１７を背面から支持する部位である。
【００１７】
このように、表示部１７を背面から支持する構造によって、携帯電話機全体としての剛性を充分に確保することができる。結果として、表示部１７の変形量を抑えることができ、ひいては表示部１７の破損を抑制することができる。
【００１８】
図４は、表示部の詳細構成を示す分解斜視図である。表示部１７は、大きく分けて、前面ガラス板４１、背面ガラス板４２、導光板４３、および嵌合させるための前面板金４４ならびに背面板金４５を厚み方向に貼り合せた構造を有する。前面ガラス板４１は背面ガラス板４２よりも狭いことにより、前面ガラス板４１を背面ガラス板４２に貼り合せたときに、背面ガラス板４２の前面の一部が露出する。この露出した部分に、表示を駆動する表示駆動ＩＣ部品４６が実装されている。このように、表示駆動ＩＣ部品４６の周辺は、ガラス板が１枚の構成となっている。
【００１９】
このため、表示部１７に加わる外力Ｐに対して、ガラス板が１枚構成となっている表示駆動ＩＣ部品４６の周辺が最も強度的に弱い部位となっている。スライドユニット１３を構成する第１スライド部品１４は、表示駆動ＩＣ部品４６の周辺に対応する位置に支持部１９を配置しているため、携帯電話機の剛性を更に向上することができる。
【００２０】
また、スライドユニット１３を構成する第１スライド部品１４が表示背面筐体２２に固定されているため、表示ユニット１１と操作ユニット１２とが開状態の場合でも閉状態の場合でも、表示部１７の変形を抑える事が可能である。
【００２１】
なお、電話機能を有する携帯電話機について本発明の実施の形態を説明したが、本発明は携帯電話機に限るものではなく、電話機能を持たない単なる表示装置においても適用可能である。
【００２２】
次に、第１比較例について本発明の実施の形態と対比説明する。
【００２３】
図５は、第１比較例に係る携帯電話機の構造を示す分解斜視図である。携帯電話機は、大まかに、表示部７を有する表示ユニット１と、操作部６を有する操作ユニット２と、それらを結合接続するスライドユニット３とで構成されている。スライドユニット３は、さらに、表示ユニット１に固定される第１スライド部品４と、操作ユニット２に固定される第２スライド部品５とで構成されている。スライドユニット３における第１スライド部品４と第２スライド部品５とが相互にスライドする構造であるため、全体として、表示ユニット１と操作ユニット２とが相互にスライドして開閉する構造となっている。操作部６は、表示ユニット１と操作ユニット２とが重ね合わされた閉状態では表示ユニット１に隠れ、表示ユニット１と操作ユニット２とをスライドさせた開状態において現れるような位置に配置されている。
【００２４】
スライド動作について説明すると、スライドユニット３の動きに連動して表示ユニット１が動くことにより、操作ユニット２の操作部６は外部に現れたり隠れたりする。操作部６の押下操作が必要となった場合には、表示ユニット１をスライドさせることにより、操作ユニット２の操作部６が現れる構造である。
【００２５】
表示ユニット１は、操作ユニット２と異なり、スライドユニット３の動作に関係なく全面が露出している。表示部７が常に露出しているため、外力が加わった場合は弾性の乏しいガラス材から成る表示部７に力が直接伝達され、破損する可能性が大きい。
【００２６】
図６は、第１比較例に係る携帯電話機の構造を示す横断面図である。第１比較例では、上述の問題を回避するため、フレーム８を追加し表示ユニット１の剛性を高めている。  具体的には、表示部７の裏面に高剛性のフレーム８を設置し、外力が加わった場合でもその裏面にあるフレーム８の剛性により、表示部７の変形を抑制し、割れにくい構造としている。
【００２７】
しかしながら、フレーム８は剛性を確保するために充分な厚みが必要であり、表示ユニット１が厚くなり、携帯電話機を薄型化できない構造といえる。
【００２８】
これに対比して実施の形態１では、スライドユニット１３を構成する第１スライド部品１４に表示部１７を支持する支持部１９を設けたので、第１比較例のようにフレーム８を追加することが不要であり携帯電話機を厚くすることなく、外力から表示部１７を保護することができる。
【００２９】
次に、第２比較例について本発明の実施の形態と対比説明する。
【００３０】
図７は、第２比較例に係る携帯電話機の開状態を示す斜視図である。図８は、第２比較例に係る携帯電話機の閉状態を示す斜視図である。第２比較例の携帯電話機は、貝方式あるいは２つ折れ型と呼ばれるものであり、携帯電話機を使用しない又は操作しないときは、折り畳んだ閉状態とし表示部７を露出させない構造とすることによって、表示部７の変形を防止している。このため、開状態の携帯電話機は比較的強度が低く、表示部７も比較的変形し易い構造といえる。
【００３１】
これに対比して実施の形態１は、スライド型の携帯電話機であって、スライドユニット１３を構成する第１スライド部品１４に表示部１７を支持する支持部１９を設けたので、表示ユニット１１と操作ユニット１２とが閉状態においても開状態においても、表示部１７の変形を防止することができる。
【００３２】
実施の形態２．
図９は、本発明の実施の形態２に係る携帯電話機の構造を示す分解斜視図である。実施の形態１では表示駆動ＩＣ部品４６を下方に設けた場合について説明したが、本実施の形態２では表示駆動ＩＣ部品４６を上方に設けた場合について説明する。上方に設けた表示駆動ＩＣ部品４６の図示は省略する。表示駆動ＩＣ部品４６を上方に設けたことに対応して、支持部１９を第１スライド部品１４の上方に設けている。表示部１７は、実施の形態１と同様に、表示ユニット１１を構成する表示前面筐体２１の四隅に設けられたリブ２３によって位置決め固定されている。その他の構成についても、実施の形態１と同様であるため、説明は省略する。
【００３３】
このように、表示部１７の表示駆動ＩＣ部品４６が上方にある場合には、スライドユニット１３を構成する第１スライド部品１４の支持部１９を、表示駆動ＩＣ部品４６に対応する上方に配置させることによって、表示部１７の変形を抑えることができる。
【００３４】
実施の形態３．
図１０は、本発明の実施の形態３に係る携帯電話機の構造を示す分解斜視図である。実施の形態１において、第１スライド部品１４の支持部１９と表示背面筐体２２とを両面粘着テープ５１で貼りつけた構成が本実施の形態３である。具体的には、スライドユニット１３を構成する第１スライド部品１４に設けられた支持部１９の前面と表示ユニット１１を構成する表示背面筐体２２に設けられた台座５２とが、両面粘着テープ５１によって接着固定されている。その他の構成については、実施の形態１と同様であるため、説明は省略する。
【００３５】
このように、表示ユニット１１とスライドユニット１３とを両面粘着テープ５１で一体的に接着固定したため、携帯電話機の剛性をさらに向上させることができる。なお、表示背面筐体２２の台座５２において、両面粘着テープ５１を貼り付ける部分を両面粘着テープ５１の厚み分だけ薄く構成しており、携帯電話機全体の厚みの増加を抑えている。
【００３６】
実施の形態４．
図１１は、本発明の実施の形態４に係る携帯電話機の構造を示す分解斜視図である。実施の形態１において、第１スライド部品１４の支持部１９を表示背面筐体２２の爪状突起５３に嵌合固定した構成が本実施の形態４である。具体的には、表示ユニット１１を構成する台座５２の両端に爪状突起５３を設け、２つの爪状突起５３に挟み込まれるように、スライドユニット１３を構成する第１スライド部品１４に設けられた支持部１９を嵌合して固定する。その他の構成については、実施の形態１と同様であるため、説明は省略する。
【００３７】
このように、表示ユニット１１とスライドユニット１３とを爪状突起５３を用いて固定したため、携帯電話機の剛性をさらに向上させることができる。
【００３８】
実施の形態５．
図１２は、本発明の実施の形態５に係る携帯電話機の構造を示す分解斜視図である。実施の形態１において、第１スライド部品１４の支持部１９を表示背面筐体２２のピン状突起５４に溶着固定した構成が本実施の形態５である。具体的には、表示ユニット１１を構成する台座５２にピン状突起５４を設け、スライドユニット１３を構成する第１スライド部品１４の支持部１９に貫通孔５５を設け、ピン状突起５４を貫通孔５５に挿通させて溶着することによって、支持部１９を台座５２に固定している。その他の構成については、実施の形態１と同様であるため、説明は省略する。
【００３９】
このように、表示ユニット１１とスライドユニット１３とをピン状突起５４を用いて固定したため、携帯電話機の剛性をさらに向上させることができる。
【図面の簡単な説明】
【００４０】
【図１】本発明の実施の形態１に係る携帯電話機の構造を示す横断面図である。
【図２】本発明の実施の形態１に係る携帯電話機の構造を示す縦断面図である。
【図３】本発明の実施の形態１に係る携帯電話機の構造を示す分解斜視図である。
【図４】表示部の詳細構成を示す分解斜視図である。
【図５】第１比較例に係る携帯電話機の構造を示す分解斜視図である。
【図６】第１比較例に係る携帯電話機の構造を示す横断面図である。
【図７】第２比較例に係る携帯電話機の開状態を示す斜視図である。
【図８】第２比較例に係る携帯電話機の閉状態を示す斜視図である。
【図９】本発明の実施の形態２に係る携帯電話機の構造を示す分解斜視図である。
【図１０】本発明の実施の形態３に係る携帯電話機の構造を示す分解斜視図である。
【図１１】本発明の実施の形態４に係る携帯電話機の構造を示す分解斜視図である。
【図１２】本発明の実施の形態５に係る携帯電話機の構造を示す分解斜視図である。
【符号の説明】
【００４１】
１１  表示ユニット
１２  操作ユニット
１３  スライドユニット
１４  第１スライド部品
１５  第２スライド部品
１６  操作部
１７  表示部
１９  支持部
２１  表示前面筐体
２２  表示背面筐体
２３  リブ
２４  ウインドウ
３１  操作前面筐体
４１  前面ガラス板
４２  背面ガラス板
４３  導光板
４４  前面板金
４５  背面板金
４６  表示駆動ＩＣ部品
５１  両面粘着テープ
５２  台座
５３  爪状突起
５４  ピン状突起
５５  貫通孔
【図１】
2010124013.tif 000003
【図２】
2010124013.tif 000004
【図３】
2010124013.tif 000005
【図４】
2010124013.tif 000006
【図５】
2010124013.tif 000007
【図６】
2010124013.tif 000008
【図７】
2010124013.tif 000009
【図８】
2010124013.tif 000010
【図９】
2010124013.tif 000011
【図１０】
2010124013.tif 000012
【図１１】
2010124013.tif 000013
【図１２】
2010124013.tif 000014